(57)【要約】【課題】印刷版の絵柄情報に基づき、オフセット印刷機のインキ調量機構のプリセットを行なうプリセット装置および方法を提供する。【解決手段】インキキーおよびインキ送りローラからなるインキ量調整機構を有するオフセット印刷のインキ調量機構のプリセット装置であって、印刷機に取り付ける版または版の画像データ中で画線部を検出する画線部検出手段と、検出した画線部のうち、印刷用紙へ転写される画線部と、印刷用紙へ転写されない画線部とを判別する判別手段と、版または版の画像データ中で印刷用紙へ転写される画線部全体の絵柄面積率に応じたインキ送りローラ回転量を演算するインキ送りローラ回転量演算手段と、前記演算したインキ送りローラ回転量に基づき、絵柄面積率に応じたインキキーごとの開き量を演算するインキキー開き量演算手段と、を具備することを特徴とするプリセット装置。【選択図】図４
2010234527.tif 000002
【特許請求の範囲】
【請求項１】
インキキーおよびインキ送りローラからなるインキ量調整機構を有するオフセット印刷のインキ調量機構のプリセット装置であって、
印刷機に取り付ける版または版の画像データ中で画線部を検出する画線部検出手段と、
検出した版または版の画像データ中の画線部のうち、印刷用紙へ転写される画線部と、印刷用紙へ転写されない画線部とを判別する判別手段と、
版または版の画像データ中で印刷用紙へ転写される画線部全体の絵柄面積率に応じたインキ送りローラ回転量を演算するインキ送りローラ回転量演算手段と、
前記演算したインキ送りローラ回転量に基づき、絵柄面積率に応じたインキキーごとの開き量を演算するインキキー開き量演算手段と、
を具備することを特徴とするプリセット装置。
【請求項２】
印刷機に取り付ける版または版の画像データ中の画線部のうち、印刷用紙へ転写される画線部と、転写されない画線部とを判別する判別手段において、
印刷物の絵柄を構成する１あるいは複数の版の、インキキーごとの絵柄面積率、あるいは開き量といったインキ調量に関する情報と、あらかじめ設定した判定値とを比較する手段を具備すること、
を特徴とする請求項１に記載のプリセット装置。
【請求項３】
印刷機に取り付ける版または版の画像データ中の画線部のうち、印刷用紙へ転写される画線部と、転写されない画線部とを判別する判別手段において、
印刷用紙上に形成される印刷物の絵柄情報、あるいは印刷用紙上に形成されない版の絵柄情報を、画像データとして取得、保持し、これらと版の画線部と比較する手段を具備すること、
を特徴とする請求項１に記載のプリセット装置。
【請求項４】
版または版の画像データ中で印刷用紙へ転写される画線部全体の絵柄面積率に応じたインキ送りローラ回転量を演算するインキ送りローラ回転量演算手段において、
前記判別手段において印刷用紙へ転写されないと判別された画線部を非画線部として、版の画線部全体の絵柄面積率を演算する手段を具備すること、
を特徴とする請求項１〜３のいずれかに記載のプリセット装置。
【請求項５】
前記インキ送りローラ回転量に基づき、絵柄面積率に応じたインキキーごとの開き量を演算するインキキー開き量演算手段において、
前記判別手段において印刷用紙へ転写されないと判別された画線部を非画線部として、インキキーごとの絵柄面積率を演算する手段を具備すること、
を特徴とする請求項１〜４のいずれかに記載のプリセット装置。
【請求項６】
インキキーおよびインキ送りローラからなるインキ量調整機構を有するオフセット印刷のインキ調量機構のプリセット方法であって、
印刷機に取り付ける版または版の画像データ中で画線部を検出する画線部検出段階と、
検出した版または版の画像データ中の画線部のうち、印刷用紙へ転写される画線部と、印刷用紙へ転写されない画線部とを判別する判別段階と、
版または版の画像データ中で印刷用紙へ転写される画線部全体の絵柄面積率に応じたインキ送りローラ回転量を演算するインキ送りローラ回転量演算段階と、
前記演算したインキ送りローラ回転量に基づき、絵柄面積率に応じたインキキーごとの開き量を演算するインキキー開き量演算段階と、
を具備することを特徴とするプリセット方法。
【請求項７】
印刷機に取り付ける版または版の画像データ中の画線部のうち、印刷用紙へ転写される画線部と、転写されない画線部とを判別する判別段階において、
印刷物の絵柄を構成する１あるいは複数の版の、インキキーごとの絵柄面積率、あるいは開き量といったインキ調量に関する情報と、あらかじめ設定した判定値とを比較すること、
を特徴とする請求項６に記載のプリセット方法。
【請求項８】
印刷機に取り付ける版または版の画像データ中の画線部のうち、印刷用紙へ転写される画線部と、転写されない画線部とを判別する判別段階において、
印刷用紙上に形成される印刷物の絵柄情報、あるいは印刷用紙上に形成されない版の絵柄情報を、画像データとして取得、保持し、これらと版の画線部と比較すること、
を特徴とする請求項６に記載のプリセット方法。
【請求項９】
版または版の画像データ中で印刷用紙へ転写される画線部全体の絵柄面積率に応じたインキ送りローラ回転量を演算するインキ送りローラ回転量演算段階において、
前記判別段階において印刷用紙へ転写されないと判別された画線部を非画線部として、版の画線部全体の絵柄面積率を演算すること、
を特徴とする請求項６〜８のいずれかに記載のプリセット方法。
【請求項１０】
前記インキ送りローラ回転量に基づき、絵柄面積率に応じたインキキーごとの開き量を演算するインキキー開き量演算段階において、
前記判別段階において印刷用紙へ転写されないと判別された画線部を非画線部として、インキキーごとの絵柄面積率を演算すること、
を特徴とする請求項６〜９のいずれかに記載のプリセット方法。
【発明の詳細な説明】
【技術分野】
【０００１】
本発明は、オフセット印刷機に関して、印刷版の絵柄情報に基づき、インキ調量機構のプリセットを行なう方法、およびプリセット装置に関する。
【背景技術】
【０００２】
オフセット印刷機においてはこれまで生産性向上が図られており、特に印刷開始時に発生する、印刷色調や見当、印刷位置、折精度など印刷品質を調整するために製品とならずに廃棄される用紙、すなわち損紙の低減についての対策が取り組まれている。
【０００３】
特に印刷色調の調整は、校了紙などと呼ばれる印刷絵柄の見本に印刷された絵柄の色調を合わせるために、印刷機のインキ調量機構を操作し版に供給するインキ量を調整する作業である。
【０００４】
この印刷色調の調整は、印刷開始前に印刷絵柄に応じてインキ調量機構を設定するプリセットと呼ばれる調整と、印刷を行ない印刷サンプルと校了紙の絵柄とを比較する調整と２つに分類することができる。
【０００５】
オフセット印刷機のインキ調量機構は、インキをためておくインキ壺からインカー内へインキを導入するインキ送りローラと、このインキ送りローラ上のインキ皮膜の厚さを調整するためにインキ壺底部に取り付けられたインキキーから構成されることが一般的である。
【０００６】
特にプリセットと呼ばれる調整は印刷開始時の印刷色調を決める調整となり、その調整如何で印刷時の色調調整の損紙を低減できることより、これまで様々なプリセット方法、およびプリセット装置が考案されている。
【０００７】
たとえば、特許文献１には、絵柄情報を２値データ化し、所定区間毎にカウントして単位絵柄面積率を算出する技術が公開されている。
【０００８】
また、特許文献２には、実測データ（インキキー開度）を取得できる頻度の少ない単位絵柄面積率においても精度良くインキキー開度をプリセットできるようにする技術が公開されている。
【０００９】
他にも様々な方法、装置が記載されているが、それらは版面の画線量や絵柄面積率を取得し、絵柄全体の画線量や絵柄面積率に応じてインキ送りローラ回転量を設定し、版面内のインキ調量単位となるインキキーに応じた単位画線量や単位絵柄面積率に応じてインキキー開き量を設定している。
【先行技術文献】
【特許文献】
【００１０】
【特許文献１】特許第２９０６６２０号公報
【特許文献２】特開２００３−３３４９２９号公報
【発明の概要】
【発明が解決しようとする課題】
【００１１】
特にオフセット輪転印刷機などの表裏のブランケット胴が印刷用紙をはさみこみ印刷する両面印刷機においては、版中央に配置される印刷用紙の外側、つまり印刷用紙の通らない版の両端部分に画線部として一様な網点（以下、平網とよぶ）を設け、余剰インキを版面およびブランケット上に滞留させ、印刷用紙の汚れ防止を図っている。
【００１２】
従来のインキ調量機構のプリセット方法においては、印刷用紙に形成されないこれら汚れ防止のための版の両端部分の平網が、印刷用紙に形成される絵柄と区別なく画線量および絵柄面積率の演算に反映されていた。
【００１３】
そのため、本来インキ消費の無い印刷用紙が配置されない版両端部分のインキキーの開き量が、汚れ防止のために配された平網に応じて開かれ、意に反してローラの汚れ、インキの飛散による印刷紙面への汚れを発生させることがあった。
【００１４】
またインキ消費量に影響の低い印刷用紙に形成されない汚れ防止のための平網が、全体の画線量や絵柄面積率を押し上げ、必要以上にインキ送り回転量が大きく設定されることがあった。
【００１５】
本発明はこのような事情に鑑みてなされたものであり、印刷機に取り付けられる版の情報からオフセット印刷機のインキ調量機構のプリセットを行なう際に、版の画線部が印刷用紙上に形成されるものか否かを判別し、その判別結果に基づきインキ調量機構の設定を行なうことで、プリセットによる色調の事前調整の精度を向上し、印刷時の色調調整に要する損紙を低減することを目的とする。
【課題を解決するための手段】
【００１６】
上記目的を達成するために、本発明では以下のような方法、手段を講じる。
【００１７】
すなわち、請求項１の発明はインキキーおよびインキ送りローラからなるインキ量調整機構を有するオフセット印刷のインキ調量機構のプリセット装置であって、
印刷機に取り付ける版または版の画像データ中で画線部を検出する画線部検出手段と、
検出した版または版の画像データ中の画線部のうち、印刷用紙へ転写される画線部と、印刷用紙へ転写されない画線部とを判別する判別手段と、
版または版の画像データ中で印刷用紙へ転写される画線部全体の絵柄面積率に応じたインキ送りローラ回転量を演算するインキ送りローラ回転量演算手段と、
前記演算したインキ送りローラ回転量に基づき、絵柄面積率に応じたインキキーごとの開き量を演算するインキキー開き量演算手段と、
を具備することを特徴とするプリセット装置である。
【００１８】
請求項２の発明は、印刷機に取り付ける版または版の画像データ中の画線部のうち、印刷用紙へ転写される画線部と、転写されない画線部とを判別する判別手段において、
印刷物の絵柄を構成する１あるいは複数の版の、インキキーごとの絵柄面積率、あるいは開き量といったインキ調量に関する情報と、あらかじめ設定した判定値とを比較する手段を具備すること、
を特徴とする請求項１に記載のプリセット装置である。
【００１９】
請求項３の発明は、印刷機に取り付ける版または版の画像データ中の画線部のうち、印刷用紙へ転写される画線部と、転写されない画線部とを判別する判別手段において、
印刷用紙上に形成される印刷物の絵柄情報、あるいは印刷用紙上に形成されない版の絵柄情報を、画像データとして取得、保持し、これらと版の画線部と比較する手段を具備すること、
を特徴とする請求項１に記載のプリセット装置である。
【００２０】
請求項４の発明は、版または版の画像データ中で印刷用紙へ転写される画線部全体の絵柄面積率に応じたインキ送りローラ回転量を演算するインキ送りローラ回転量演算手段において、
前記判別手段において印刷用紙へ転写されないと判別された画線部を非画線部として、版の画線部全体の絵柄面積率を演算する手段を具備すること、
を特徴とする請求項１〜３のいずれかに記載のプリセット装置である。
【００２１】
請求項５の発明は、前記インキ送りローラ回転量に基づき、絵柄面積率に応じたインキキーごとの開き量を演算するインキキー開き量演算手段において、
前記判別手段において印刷用紙へ転写されないと判別された画線部を非画線部として、インキキーごとの絵柄面積率を演算する手段を具備すること、
を特徴とする請求項１〜４のいずれかに記載のプリセット装置である。
【００２２】
請求項６の発明は、インキキーおよびインキ送りローラからなるインキ量調整機構を有するオフセット印刷のインキ調量機構のプリセット方法であって、
印刷機に取り付ける版または版の画像データ中で画線部を検出する画線部検出段階と、
検出した版または版の画像データ中の画線部のうち、印刷用紙へ転写される画線部と、印刷用紙へ転写されない画線部とを判別する判別段階と、
版または版の画像データ中で印刷用紙へ転写される画線部全体の絵柄面積率に応じたインキ送りローラ回転量を演算するインキ送りローラ回転量演算段階と、
前記演算したインキ送りローラ回転量に基づき、絵柄面積率に応じたインキキーごとの開き量を演算するインキキー開き量演算段階と、
を具備することを特徴とするプリセット方法である。
【００２３】
請求項７の発明は、印刷機に取り付ける版または版の画像データ中の画線部のうち、印刷用紙へ転写される画線部と、転写されない画線部とを判別する判別段階において、
印刷物の絵柄を構成する１あるいは複数の版の、インキキーごとの絵柄面積率、あるいは開き量といったインキ調量に関する情報と、あらかじめ設定した判定値とを比較すること、
を特徴とする請求項６に記載のプリセット方法である。
【００２４】
請求項８の発明は、印刷機に取り付ける版または版の画像データ中の画線部のうち、印刷用紙へ転写される画線部と、転写されない画線部とを判別する判別段階において、
印刷用紙上に形成される印刷物の絵柄情報、あるいは印刷用紙上に形成されない版の絵柄情報を、画像データとして取得、保持し、これらと版の画線部と比較すること、
を特徴とする請求項６に記載のプリセット方法である。
【００２５】
請求項９の発明は、版または版の画像データ中で印刷用紙へ転写される画線部全体の絵柄面積率に応じたインキ送りローラ回転量を演算するインキ送りローラ回転量演算段階において、
前記判別段階において印刷用紙へ転写されないと判別された画線部を非画線部として、版の画線部全体の絵柄面積率を演算すること、
を特徴とする請求項６〜８のいずれかに記載のプリセット方法。
【００２６】
請求項１０の発明は、前記インキ送りローラ回転量に基づき、絵柄面積率に応じたインキキーごとの開き量を演算するインキキー開き量演算段階において、
前記判別段階において印刷用紙へ転写されないと判別された画線部を非画線部として、インキキーごとの絵柄面積率を演算すること、
を特徴とする請求項６〜９のいずれかに記載のプリセット方法である。
【発明の効果】
【００２７】
本発明によれば、印刷機に取り付けられる版の情報からオフセット印刷機のインキ調量機構のプリセットを行なう際に、版の画線部が印刷用紙上に形成されるものか否かを判別し、その判別結果に基づきインキ調量機構の設定を行なうことができる。
【図面の簡単な説明】
【００２８】
【図１】本発明の機能ブロックを示す説明図。
【図２】印刷用紙に転写されない絵柄の登録例を示す模式図。
【図３】印刷用紙に転写されない絵柄を含む、印刷版の画像データのイメージを示す説明図。
【図４】本発明のプリセット装置の実施例を示すブロック図。
【図５】ある印刷版における絵柄面積率の測定結果の例を示す説明図。
【図６】絵柄面積率より印刷用紙の有無を判別する際の判定値の例を示す説明図。
【図７】用紙の有無の判別結果についての例を示す説明図。
【図８】平均絵柄面積率からインキ送り量を求める関数の例を示すグラフ図。
【図９】インキキーごとの絵柄面積率からインキキーの開き量を求める関数の例を示すグラフ図。
【図１０】インキ調量機構の設定値の算出結果の例を示す説明図。
【発明を実施するための形態】
【００２９】
以下に、本発明の実施の形態について図面を参照しながら説明する。
【００３０】
図１は、本発明の実施の形態に係るプリセット装置の機能ブロック図であり、コンピュータのアプリケーションとして構成される。以下の内容は一つの例であり、請求の範囲を限定するものではない。
【００３１】
版画像入力部Ｐ１１は、ＣＴＰ（Ｃｏｍｐｕｔｅｒ  Ｔｏ  Ｐｌａｔｅ）設備などから出力される版の画像データを含むデータを、装置内へ入力する。
【００３２】
版の画像データは、国際標準化団体ＣＩＰ３が定めたＰＰＦ（Ｐｒｉｎｔ  Ｐｒｏｄｕｃｔｉｏｎ  Ｆｏｒｍａｔ）ファイルに含まれる低解像度の画像データを通常取り扱うが、版の画線部の情報を含むものであれば良い。
【００３３】
用紙有無判別部Ｐ１２では、版画像入力部Ｐ１１より入力された画像データより、版の画像のうち用紙に転写される絵柄と転写されない絵柄とを、印刷用紙のサイズや版との相対位置関係から判別したり、あるいは画像のパターンマッチングや画線量の比較から判別したりする。
【００３４】
ＰＰＦファイルや特に版の画像データのみを版画像データとして取り扱う場合、印刷用紙のサイズや版との相対位置の情報が得られないことが予想されるため、判別の際に画像のパターンマッチングや画線量の比較を用いる。
【００３５】
画像のパターンマッチングによる判別方法は、あらかじめ印刷用紙の外側に配置される絵柄を記録しておき、版の画像データと比較を行なう。記録しておく画像データは、印刷用紙の外側に配置される絵柄パターンとその大きさなどである。例えば、図２（ａ）に示すようなパターンを一単位として、図２（ｂ）に示すように繰り返し配置する場合については、その一単位を記録しておく。
【００３６】
あるいはあらかじめ印刷用紙の外側に配置される絵柄の画線量もしくは絵柄面積率を記録しておき、版の画像データから画線量もしくは絵柄面積率を算出し、比較することで判別する。
【００３７】
図３は、版の画像データのイメージ例を模式的に表したものである。図３の例では、Ｌ０〜Ｌ１の間およびＲ０〜Ｒ１の間にある部分は、印刷用紙には転写されない絵柄の部分であり、Ｌ１〜Ｒ１の間にある部分が、印刷用紙に転写される絵柄である。
【００３８】
このような版の画像データに対して、用紙の有無を判別する精度を上げるため、図３に示すように版の画像データの外側のＬ０およびＲ０から内側に向かって判別する。印刷方向と直行する方向（以下、印刷の幅方向と呼ぶ）を任意に分割し、その印刷方向の版の画像を分割し、パターンマッチングや画線量などの比較を行ない用紙の有無の判別を行なう。図３に示す例では、Ｌ１およびＲ１で印刷用紙に転写されない絵柄から印刷用紙に転写される絵柄に変わることが認識され、Ｌ１とＲ１の間については判別を行なわず、印刷用紙に転写される絵柄として版の画像データを判別する。
【００３９】
こうした印刷用紙の有無の判別は、一色ごとの印刷版に対して行なっても概ねの精度を得ることができるが、カラー印刷の場合１つの絵柄に対して複数の色の版（例えばブラック、シアン、マゼンタ、イエローの４版）があるので、それらの版各色の判別結果を比較することで、さらに判別精度を向上させることができる。
【００４０】
なお、図３のような画像を形成した版についても、同様の判別処理が可能である。例えば絵柄面積率を測定する機器により、版の一方の外側Ｌ０から内側に向かって絵柄面積率を測定していき、絵柄面積率が変化する箇所をＬ１と判別する。同様に、版のもう一方の外側Ｒ０からも内側に向かって絵柄面積率を測定していき、絵柄面積率が変化する箇所をＲ１と判別する。このようにすれば、版そのものに対しても、Ｌ０〜Ｌ１の間およびＲ０〜Ｒ１の間にある印刷用紙には転写されない絵柄部分と、Ｌ１〜Ｒ１の間にある印刷用紙に転写される絵柄部分を判別することができる。これ以降の処理は、版の画像データでも版そのものでも同様である。
【００４１】
従って上記の判別処理は、ＣＴＰ工程では版の画像データに対して行うことができ、また、版の画像データを得られない場合においても、版そのものの絵柄面積率を測定することで、行なうことができる。上記のどちらの判別処理を行うかは適宜選択可能である。
【００４２】
用紙有無判別部Ｐ１２で用紙の有無を判別された版の画像データは、絵柄面積率演算部Ｐ１３へ渡され、インキ送り量やインキキー開き量を演算するため元データとなる絵柄面積率を演算する。絵柄面積率の演算の際、用紙の有無の判別結果を考慮し、用紙の無い部分の画線部については、非画線部として演算を行ない、任意の絵柄面積率を設定する。
【００４３】
絵柄面積率演算部Ｐ１３より、絵柄面積率および用紙の有無の情報がインキ送り量演算部Ｐ１４へ送られ、印刷用紙のある部分の画線部全体の絵柄面積率を基に、インキ送り量を算出する。ここで本実施形態では絵柄面積率とインキ送り量の設定値との関係を定義する関数を用いることとするが、対照表を用いたり、複数の関数、補正式を利用したりしても良い。
【００４４】
インキ送り量演算部Ｐ１４より、インキ送り量および絵柄面積率、用紙の有無の情報がインキキー開き量演算部Ｐ１５へ送られ、インキキー毎に開き量を演算する。印刷用紙の無い部分のインキキーの開き量はゼロ（機械的に最小間隙）を設定し、印刷用紙がある部分のインキキーの開き量は絵柄面積率とインキキー開き量の設定値を定義する関数を用い、さらにインキ送り量演算Ｐ１４で設定したインキ送り量に対応するインキ送り量変動補正関数を用い、インキキー開き量を補正する。ここで本実施例では、インキ送り量の変動に対応するために補正関数を利用したが、インキ送り量ごとに絵柄面積率とインキキー開き量を定義する関数を複数準備し、用いても良い。
【００４５】
印刷機通信部Ｐ１６は、版に応じたインキ送り量の設定値、インキキー開き量の設定値を受取り、オペレータの指令により印刷機へ設定値や制御コマンドなどを送信し、印刷機の調量機構を制御する。
【００４６】
本実施形態では、用紙有無判別部Ｐ１２、絵柄面積率演算部Ｐ１３、インキ送り量演算部Ｐ１４、インキキー開き量演算部Ｐ１５の順に構成したが、各処理の順は適宜入れ替えて構成することができる。
【実施例１】
【００４７】
次に本発明における印刷機のインキ調量機構のプリセット装置に係る１つの実施例を、図４を用いて示す。
【００４８】
オフセット輪転印刷機Ｄ１で印刷を行なう版は、刷版出力機Ｄ２により作成される。刷版出力機Ｄ２は、印刷機Ｄ１の仕様にあわせ製版データを面付けし、版材料にイメージ画像を形成する。その際に、低解像度化した版の画像データを含有したＰＰＦファイルを作成する。
【００４９】
ここで、面付けの際に、各色の印刷絵柄の外側に印刷用紙の汚れ防止のために面積率７５％の一様な網点（以下、平網とよぶ）を施した。その結果、印刷機のインキキー番号１、２、２９、３０番キーに相当する位置に面積率７５％の平網が配置されることとなった。
【００５０】
絵柄面積率計Ｄ３は、版画像入力部Ｄ３１により刷版出力機Ｄ２のＰＰＦファイル保存エリアを監視し、作成されたＰＰＦファイルを絵柄面積率演算部Ｄ３２へ入力し、印刷機のインキキーの配置にあわせた絵柄面積率を算出する。そのときの各色版の絵柄面積率は、例えば図５に例示したようなものとなる。
【００５１】
用紙有無判別部Ｄ３３では、印刷用紙が無い部分の絵柄面積率の判定値を記録してあり、その判定値は図６に例示するようなものであった。用紙有無判別部Ｄ３３は、絵柄面積率の測定値とこの判定値を比較し、版の両端のインキキーより用紙有無の判別を行ない、さらに各色全版の判定結果を比較し、各インキキーの用紙の有無を判別する。
【００５２】
判別の概要を、図７を使用して説明する。図７の例においては、ブラックのインキキー番号１番では判定値７５以上に対し測定値７５となっているため、用紙は無いと判断（図７の中では×印で表記）し、次にインキキー番号の２番および３番と判別を進め、３番で測定値が５と判定値を下回り、３番が用紙は有る（図中○印で表記）と判別した。同時にインキキー番号の３０番から２９番、２８番と判別を進め、これを全色に対して行なった。図７の中で−印としたところは、用紙有り判定のあったインキキー番号の内側に存在するため、判別そのものを行なっていない。
【００５３】
さらに各色全版の判定結果について比較を行なった。全色のインキキー番号１番の判別結果が用紙無しであることから、１番を用紙無しと特定した。同様に２番、３番と判別を進め、３番では用紙有りの判別がされている色が存在するので、３番からは用紙有りと判別した。また３０番から２９、２８と全色の判別を進めた結果、入力された版画像については、１、２、２９、３０番は印刷用紙が無いと判別された。
【００５４】
一方、刷版出力機が出力した版は、印刷オペレータによりオフセット輪転機Ｄ１に取り付けられる。その際、印刷オペレータはプリセット端末Ｄ４を操作し、該当する印刷版のプリセットデータを要求する。
【００５５】
プリセット端末Ｄ４は、絵柄面積率計Ｄ３より絵柄面積率および用紙の有無の情報を取得し、まずインキ送り量演算部Ｄ４１にてインキ送り量の設定を作成する。用紙が無いと判別されたインキキーの絵柄面積率を除外しインキキーの３番から２８番までの平均の絵柄面積率を取得し、Ｃ１を得た。さらに平均の絵柄面積率からインキ送り量の変換関数（図８）を用いて、インキ送り量Ｒ１を算出した。
【００５６】
次にインキキー開き量演算部Ｄ４２で、インキキーごとに絵柄面積率からインキキーの開き量を変換関数（図９）を用いて演算する。この変換関数は、インキ色ごと、印刷機のインキユニットごとに準備されたものを使用する。さらに、インキ送り量演算部Ｄ４１で算出したインキ送り量に応じて、算出したインキキー開き量を修正し、インキ調量機構設定値（図１０）を得る。
【００５７】
そして印刷機通信部Ｄ４３は、オフセット輪転機Ｄ１の制御部と通信を行ない、印刷機のインキ調量機構を操作し、設定値を印刷機のインキ調量機構に反映させる。
【００５８】
以上のようにして、本発明のインキ調量機構のプリセット装置におけるインキキーのプリセット動作が実施される。
【００５９】
本実施例のような装置および手順でインキキーのプリセットを行った結果、以下のような効果があった。
インキ送り量演算部Ｄ４１（図４参照）において、図５に示した絵柄面積率の測定結果から各版の平均の絵柄面積率を算出する際、用紙の有無の判別結果（図７参照）を使用する場合としない場合を比較すると、判別結果を使用した際に各版１０％程度平均面積率を押し下げる結果が得られた。
【００６０】
その結果インキ送り量を算出する際に使用する平均面積率は、判別結果を使用しない平均面積率（図８中のＣ０点）から判別結果を使用する平均面積率（図８中のＣ１）へシフトし、これに伴いインキ送り量はＲ０からＲ１と小さく設定されることとなった。送り量の下げ幅は、面積率１０％減に対しインキ送り量５〜８％減であり、その結果得られたインキ送り量は各色で２４％から４８％となった。
【００６１】
こうしてインキが消費される画線量にあわせ、適切なインキ送り量の設定を行なうことで、インキキーを操作する際のインキ量の微調整が可能となり、印刷開始時の印刷絵柄の色調調整が行ないやすくなった。その結果、色調調整に要する損紙は１２０枚〜２００枚程度削減でき、印刷面内のインキの印刷濃度も安定するようになり、生産性および品質の向上を認めることができた。
【産業上の利用可能性】
【００６２】
本発明のインキ調量機構のプリセット装置は、オフセット印刷の生産性、品質の向上に対して一定の効果をもたらし、有効に活用されることが予想される。
【符号の説明】
【００６３】
Ｐ０１〜Ｐ０６・・・従来のプリセット装置の各部
Ｐ１１〜Ｐ１６・・・本発明のプリセット装置の各部
Ｌ０・・・印刷方向に対して、版の左側端部
Ｌ１・・・印刷方向に対して、版の印刷用紙へ転写される部分の左側端部
Ｒ０・・・印刷方向に対して、版の右側端部
Ｒ１・・・印刷方向に対して、版の印刷用紙へ転写される部分の右側端部
Ｄ１・・・オフセット輪転印刷機
Ｄ２・・・刷版出力機
Ｄ３・・・絵柄面積計
Ｄ３１〜Ｄ３３・・・絵柄面積計の各部
Ｄ４・・・プリセット端末
Ｄ４１〜Ｄ４３・・・プリセット端末の各部
【図１】
2010234527.tif 000003
【図２】
2010234527.tif 000004
【図３】
2010234527.tif 000005
【図４】
2010234527.tif 000006
【図５】
2010234527.tif 000007
【図６】
2010234527.tif 000008
【図７】
2010234527.tif 000009
【図８】
2010234527.tif 000010
【図９】
2010234527.tif 000011
【図１０】
2010234527.tif 000012